(57)【要約】【課題】爪先で地面を後方に蹴り出すように歩くことを支援する機能を有する靴を提供する。【解決手段】アウトソール１２、ミッドソール１４、中底ボード１６およびインソール１８が積層され、インソールは中底ボードより靴使用者の足の圧力により変形しやすい靴において、ミッドソールと中底ボードとの積層体２０の爪先部に凹部２２を形成し、この凹部内に弾性を有する反発体２４を配置する。【選択図】図２
2011104044.tif 000002
【特許請求の範囲】
【請求項１】
アウトソール、ミッドソール、中底ボードおよびインソールが積層され、前記インソールは前記中底ボードより靴使用者の足の圧力により変形しやすい靴において、前記ミッドソールと前記中底ボードとの積層体の爪先部に凹部が形成され、前記凹部内に弾性を有する反発体が配置されていることを特徴とする靴。
【請求項２】
前記反発体は、前記中底ボードより硬度が低い樹脂からなることを特徴とする請求項１に記載の靴。
【発明の詳細な説明】
【技術分野】
【０００１】
本発明は、ウォーキングシューズ、ゴルフシューズ、テニスシューズ等の運動用シューズとして好適に使用される靴に関し、さらに詳述すると、運動における足の動きを支援する機能を有する靴に関する。
【背景技術】
【０００２】
従来、ウォーキングなどの靴を履いて行う運動における足の動きを支援する機能を有する靴が提案されている。例えば、特許文献１には、靴に対するフィッティング機能および歩行支援機能を向上させることが可能な靴として、使用者の足底先端部に対応する位置に、使用者の足底先端部に当接して使用者の足が靴の内部において前方向に移動するのを規制する足底先端部支持体を着脱自在に設けたインソール（中敷き）を装着したものが提案されている（請求項１、５）。
【先行技術文献】
【特許文献】
【０００３】
【特許文献１】特開２００８−２３２９０号公報
【発明の概要】
【発明が解決しようとする課題】
【０００４】
ウォーキングにおいては、足は踵から着地した後、爪先で地面を後方に蹴り出すように歩くことが良いフォームであるとされている。しかし、特許文献１の靴は、靴を履いて行う運動における足の動きを支援する機能として、使用者の足が履物の内部において前方向に移動するのを規制する機能は有するが、爪先で地面を後方に蹴り出すように運動することを支援する機能を有するものではなく、歩行を支援する機能が不十分なものであった。
【０００５】
本発明は、上記事情に鑑みてなされたもので、爪先で地面を後方に蹴り出すように運動することを支援する機能を有し、十分な運動支援機能を有する靴を提供することを目的とする。
【課題を解決するための手段】
【０００６】
本発明は、前記目的を達成するため、アウトソール、ミッドソール、中底ボードおよびインソールが積層され、前記インソールは前記中底ボードより靴使用者の足の圧力により変形しやすい靴において、前記ミッドソールと前記中底ボードとの積層体の爪先部に凹部が形成され、前記凹部内に弾性を有する反発体が配置されていることを特徴とする靴を提供する。ここで、中底ボードとミッドソールとの積層体の爪先部とは、上記積層体の少なくとも足の指の先がインソールを介して間接的に接触する部分をいう。
【０００７】
本発明に係る靴は、ミッドソールと中底ボードとの積層体の爪先部に形成された凹部内に弾性を有する反発体が配置されているので、ウォーキング等の靴を履いて行う運動において、上記反発体の弾性効果、形状効果により、足の爪先で地面を後方に蹴り出す動きを支援することができる。すなわち、本発明に係る靴の反発体は、反発力を有し、かつ、上記積層体の爪先部に形成された凹部内に配置されているので、ウォーキング時等に靴の使用者が上記反発体を爪先で押した場合、爪先で地面を後方に強く蹴り出すことができる。この場合、上記反発体は、インソールよりも靴使用者の足の圧力により変形しにくい中底ボードではなく、中底ボードよりも靴使用者の足の圧力により変形しやすいインソールに覆われているため、ウォーキング時等に靴の使用者が上記反発体をインソールを介して爪先で押した場合、反発体が容易に変形し、前述した作用効果を確実に得ることができる。
【０００８】
本発明において、インソールは、中底ボードより硬度が低い樹脂等により形成することが好ましく、これにより前述した作用効果を良好に得ることができる。
【０００９】
また、本発明において、反発体は、中底ボードより硬度が低い樹脂等により形成することが好ましく、これにより前述した作用効果を良好に得ることができる。この場合、反発体の硬度は、インソールの硬度より高くてもよく、低くてもよく、インソールの硬度と同じでもよい。
【００１０】
本発明において、ミッドソールと中底ボードとの積層体の爪先部に形成する凹部の形状に限定はなく、後述する実施形態に示すような種々の形状とすることができる。
【００１１】
本発明に係る靴は、靴を履いて行う運動における足の動きを支援する機能を有するもので、上記運動としては、例えば、ウォーキング、ジョギング、ランニング、ゴルフ、テニス等が挙げられ、本発明に係る靴は、ウォーキングシューズ、ゴルフシューズ、テニスシューズ等に特に好適に使用される。
【発明の効果】
【００１２】
本発明に係る靴は、ウォーキング等の靴を履いて行う運動において、爪先で地面を後方に蹴り出す足の動きを支援することができ、優れた運動支援機能を有する。
【図面の簡単な説明】
【００１３】
【図１】本発明の第１実施形態に係る靴の靴底部を示す平面図である。
【図２】図１の靴底部の図１Ａ−Ａ線に沿った縦断面図である。
【図３】図１の靴底部の図１Ｂ−Ｂ線に沿った横断面図である。
【図４】本発明の第２実施形態に係る靴の靴底部を示す平面図である。
【図５】図４の靴底部の図４Ｃ−Ｃ線に沿った縦断面図である。
【図６】本発明の第３実施形態に係る靴の靴底部を示す平面図である。
【図７】本発明の第４実施形態に係る靴の靴底部を示す横断面である。
【図８】本発明の第５実施形態に係る靴の靴底部を示す平面図である。
【図９】図８の靴底部の図８Ｄ−Ｄ線に沿った横断面図である。
【発明を実施するための形態】
【００１４】
以下、本発明の実施形態につき図面を参照して詳しく説明する。
【００１５】
（第１実施形態）
図１は本発明の第１実施形態に係る靴の靴底部を示す平面図、図２は同靴底部の図１Ａ−Ａ線に沿った縦断面図、図３は同靴底部の図１Ｂ−Ｂ線に沿った横断面図である。
【００１６】
本例の靴の靴底部（左足用）１０は、下から順に、アウトソール１２、ミッドソール１４、中底ボード１６およびインソール（中敷き）１８が積層されたものである。アウトソール１２は地面に接するパーツであり、ミッドソール１４はアウトソール１２に積層されたパーツであり、中底ボード１６はミッドソール１４に積層されたパーツであり、インソール（中敷き）１８は中底ボード１６に積層されたパーツである。
【００１７】
本例の靴底部１０において、アウトソール１２はミッドソール１４より硬度が高く、中底ボード１６はミッドソール１４およびインソール１８より硬度が高い。そして、インソール１８は、中底ボード１６より靴使用者の足の圧力により変形しやすい。また、本例の靴底部１０は、ミッドソール１４と中底ボード１６との積層体２０の爪先部に、縦断面および横断面がいずれも略楕円形の凹部２２が形成され、この凹部２２内に弾性を有する反発体２４が配置されている。なお、図２において２６はアッパーを示す。
【００１８】
本例において、アウトソール１２の材質としては、例えば、ブタジエンゴム、イソプレンゴム、スチレン・ブタジエンゴム等のゴム類や、ポリウレタン、エチレンビニルアセテート（ＥＶＡ）等を挙げることができるが、これらに限定されるものではない。
【００１９】
ミッドソール１４の材質としては、例えば、ＥＶＡ、ポリオレフィン発泡体、ポリウレタン発泡体、熱可塑性ポリウレタン、ゴム等を挙げることができるが、これらに限定されるものではない。アウトソール１２とミッドソール１４は、同一の材質でもよい。
【００２０】
中底ボード１６の材質としては、例えば、ポリウレタンシート、パルプボード、布地、革、人工皮革等を挙げることができるが、これらに限定されるものではない。
【００２１】
インソール１８の材質としては、例えば、ＥＶＡ、ポリオレフィン発泡体、ポリウレタン発泡体、熱可塑性ポリウレタン、ゴム、革、人工皮革等を挙げることができるが、これらに限定されるものではない。
【００２２】
反発体２４の材質としては、弾性、反発性を有するものであればよく、例えば、エチレンビニルアセテート（ＥＶＡ）、ポリオレフィン発泡体、ポリウレタン発泡体、熱可塑性ポリウレタン、ゴム、板ばね等を挙げることができるが、これらに限定されるものではない。反発体２４を樹脂またはゴムで形成する場合、凹部２２内に樹脂またはゴムを充填すればよい。
【００２３】
本例において、各層を樹脂またはゴムで形成する場合、アウトソールの硬さはＪＩＳ−Ａ硬度で５０〜９０°、特に６５〜８０°、ミッドソールの硬さはアスカーＣ硬度で４０〜８０°、特に５０〜７０°、インソールの大部分を占める部位の硬さはアスカーＣ硬度で２０〜７０°、特に３０〜５０°、反発体の硬さはアスカーＣ硬度で２０〜６０°、特に２０〜４０°とすることが好ましい。
【００２４】
本例において、アウトソールの最も厚い部分の厚さは１．５〜１０ｍｍ、特に２〜８ｍｍ、ミッドソールの厚さは３〜３５ｍｍ、特に３〜２５ｍｍ、中底ボードの厚さは０．５〜５ｍｍ、特に１〜３ｍｍ、インソールの厚さは２〜１５ｍｍ、特に３〜１０ｍｍとすることが適当である。
【００２５】
また、２６ｃｍの靴を例とすると、凹部の縦方向長さａは２０〜１００ｍｍ、特に４０〜７０ｍｍ、横方向長さｂは６０〜１００ｍｍ、特に６０〜８０ｍｍ、最大深さｃは３〜１０ｍｍ、特に３〜６ｍｍ、後方側斜面の傾斜角度ｄは１〜１０°、特に１〜５°とすることが好適である。
【００２６】
第１実施形態の靴は、ウォーキング等の靴を履いて行う運動において、反発体２４の弾性効果、形状効果により、足の爪先で地面を後方に蹴り出す動きを支援することができる。この場合、本例の凹部２２は、まず下方に傾斜した後、その先で上方に傾斜しているので、靴使用者が歩行を停止するときに、凹部の上方に傾斜した部分に足の力が加わりやすく、そのため歩行を停止しやすい。
【００２７】
（第２実施形態）
図４は本発明の第２実施形態に係る靴の靴底部を示す平面図、図５は同靴底部の図４Ｃ−Ｃ線に沿った縦断面図である。横断面図は、第１実施形態とほぼ同様であるため省略する。
【００２８】
本例の靴底部３０は、第１実施形態の靴底部において、凹部３２の縦断面を略三角形とし、この凹部３２内に反発体３４を配置したものである。本例のような縦断面が略三角形の凹部も、本発明における凹部に含まれる。その他の構成については、第２実施形態と第１実施形態とは同じであるため、図４、図５において図１、図２と同一構成の部分には、同一の参照符号を付してその説明を省略する。
【００２９】
第２実施形態において、凹部３２の縦方向長さｅは２０〜１００ｍｍ、特に４０〜８０ｍｍ、最大深さｆは３〜１０ｍｍ、特に３〜６ｍｍとすることが好適である。また、各層の材質および厚さや、凹部の横方向長さ、後方側斜面の傾斜角度は、第１実施形態で述べたのと同様である。
【００３０】
第２実施形態の靴は、ウォーキング等の靴を履いて行う運動において、反発体３４の弾性効果、形状効果により、足の爪先で地面を後方に蹴り出す動きを支援することができる。
【００３１】
（第３実施形態）
図６は本発明の第３実施形態に係る靴の靴底部を示す平面図である。縦断面図および横断面図は、第１実施形態とほぼ同様であるため省略する。
【００３２】
本例の靴底部４０は、第１実施形態の靴底部において、凹部４２の外側（小指側）が第１実施形態より後方に位置するように凹部４２の平面形状を傾斜させ、この凹部４２内に反発体４４を配置したものである。その他の構成については、第３実施形態と第１実施形態とは同じであるため、図６において図１と同一構成の部分には、同一の参照符号を付してその説明を省略する。
【００３３】
第３実施形態において、各層の材質および厚さや、凹部の縦方向長さ、後方側斜面の傾斜角度は、第１実施形態で述べたのと同様である。
【００３４】
第３実施形態の靴は、ウォーキング等の靴を履いて行う運動において、反発体４４の弾性効果、形状効果により、足の爪先で地面を後方に蹴り出す動きを支援することができる。また、凹部４２の平面形状を前記のように傾斜させたので、足指の位置により適した場所に反発体があるため、靴使用者の不要な動きを抑制することができ、靴使用者の運動時における安定性が向上する。
【００３５】
（第４実施形態）
図７は本発明の第４実施形態に係る靴の靴底部を示す横断面図である。平面図および縦断面図は、第１実施形態とほぼ同様であるため省略する。
【００３６】
本例の靴底部５０は、第１実施形態の靴底部において、凹部５２の内側部分（親指側部分）の深さを最も深くし、この凹部５２に反発体５４を配置したものである。その他の構成については、第４実施形態と第１実施形態とは同じであるため、図７において図３と同一構成の部分には、同一の参照符号を付してその説明を省略する。
【００３７】
第４実施形態において、凹部５２の最大深さｇは３〜１０ｍｍ、特に３〜８ｍｍとすることが好適である。また、各層の材質および厚さや、凹部の縦方向長さ、横方向長さ、後方側斜面の傾斜角度は、第１実施形態で述べたのと同様である。
【００３８】
第４実施形態の靴は、ウォーキング等の靴を履いて行う運動において、反発体５４の弾性効果、形状効果により、足の爪先で地面を後方に蹴り出す動きを支援することができる。また、凹部５２の内側部分（親指側部分）の深さを最も深くしたので、最も負荷のかかる親指の位置の反発性と衝撃吸収性を向上させることができ、足の負担軽減を図ることができるとともに、反発補助効果を向上させることができる。
【００３９】
（第５実施形態）
図８は本発明の第４実施形態に係る靴の靴底部を示す平面図、図９は同靴底部の図８Ｄ−Ｄ線に沿った横断面図である。縦断面図は、第１実施形態とほぼ同様であるため省略する。
【００４０】
本例の靴底部６０は、第１実施形態の靴底部において、ミッドソール１４と中底ボード１６との積層体２０の爪先部に、５本の足指に対応する５つの凹部６２を形成し、これらの凹部６２内にそれぞれ反発体６４を配置したものである。その他の構成については、第５実施形態と第１実施形態とは同じであるため、図８、図９において図１、図３と同一構成の部分には、同一の参照符号を付してその説明を省略する。なお、凹部６２の好ましい数は２〜１０個、特に２〜５個である。
【００４１】
第５実施形態において、各凹部９２の横方向長さｈは５〜３５ｍｍ、特に８〜３０ｍｍとすることが好適である。また、各層の材質および厚さや、凹部の縦方向長さ、最大深さ、後方側斜面の傾斜角度は、第１実施形態で述べたのと同様である。
【００４２】
第５実施形態の靴は、ウォーキング等の靴を履いて行う運動において、反発体６４の弾性効果、形状効果により、足の爪先で地面を後方に蹴り出す動きを支援することができる。また、足指に対応する複数の凹部６２を形成し、各凹部６２内にそれぞれ反発体６４を配置したので、各足指に対応する反発体が他の指に対応する反発体の影響をあまり受けずに独立して動くので、より適切に運動を支援することが可能である。この場合、前述したように運動時には親指に最も力が加わるので、親指に対応する反発体の反発性だけを大きくしてもよい。また、親指に対応する反発体の反発性を弱くし、５本全ての足指で反発体を均等に使うことができるようにしてもよく、いずれの手法を採用するかは、ユーザー等によって適宜決定することができる。
【００４３】
なお、本発明に係る靴は、上述した実施形態に限定されるものではなく、本発明の要旨を逸脱しない範囲で種々の変更が可能である。
【符号の説明】
【００４４】
１０  靴底部
１２  アウトソール
１４  ミッドソール
１６  中底ボード
１８  インソール
２０  積層体
２２  凹部
２４  反発体
２６  アッパー
３０  靴底部
３２  凹部
３４  反発体
４０  靴底部
４２  凹部
４４  反発体
５０  靴底部
５２  凹部
５４  反発体
６０  靴底部
６２  凹部
６４  反発体
【図１】
2011104044.tif 000003
【図２】
2011104044.tif 000004
【図３】
2011104044.tif 000005
【図４】
2011104044.tif 000006
【図５】
2011104044.tif 000007
【図６】
2011104044.tif 000008
【図７】
2011104044.tif 000009
【図８】
2011104044.tif 000010
【図９】
2011104044.tif 000011